(57)【要約】【課題】端末装置で印刷条件の設定作業を行わなくとも、ＰＤＦファイルの画像データをプリンタに印刷させる。【解決手段】原稿読取装置１は、原稿の画像データを取得し、ユーザからの操作指令に従って、この画像データを印刷装置に印刷させる際の印刷条件を設定し、設定した印刷条件を印刷装置３の解読可能な印刷コマンドに変換し、原稿の画像データと印刷コマンドとを含むＰＤＦファイルを生成し、端末装置２に送信する。端末装置２は、原稿読取装置１から送信されたＰＤＦファイルをユーザからの操作指令に従って、印刷装置３に送信する。印刷装置３は、受信したＰＤＦファイルに含まれる印刷コマンドを解読し、印刷コマンドの示す印刷条件に従って、ＰＤＦファイルに含まれる画像データを記録紙に印刷する。【選択図】図１
2007195086.tif 000002
【特許請求の範囲】
【請求項１】
原稿読取装置と、前記原稿装置に対して所定の通信回線を介して接続された端末装置と、前記端末装置に対して所定の通信回線を介して接続された印刷装置とを備える印刷システムであって、
前記原稿読取装置は、
原稿を読み取り、原稿の画像データを取得する画像データ取得手段と、
ユーザからの操作指令に従って、前記画像データを前記印刷装置に印刷させる際の印刷条件を設定する印刷条件設定手段と、
前記印刷条件設定手段により設定された印刷条件を、前記印刷装置が解読可能な印刷コマンドに変換する印刷コマンド変換手段と、
前記画像データ取得手段により取得された画像データと前記印刷コマンド変換手段により変換された印刷コマンドとを含む所定フォーマットのファイルを生成するファイル生成手段と、
前記ファイル生成手段により生成されたファイルを前記端末装置に送信するファイル送信手段とを備え、
前記端末装置は、前記原稿読取装置から送信されたファイルを、ユーザからの操作指令を基に、前記印刷装置に送信し、
前記印刷装置は、
前記端末装置により送信されたファイルに含まれる印刷コマンドを解読する解読手段と、
前記解読手段により解読された印刷コマンドが示す印刷条件に従って、前記ファイルに含まれる画像データを記録紙に印刷する印刷手段とを備えることを特徴とする印刷システム。
【請求項２】
前記印刷条件は、印刷部数、及び両面又は片面印刷の少なくともいずれか１つ印刷項目と前記印刷項目に対する設定値とによって規定されることを特徴とする請求項１記載の印刷システム。
【請求項３】
前記ファイルはＰＤＦファイルであることを特徴とする請求項１又は２記載の印刷システム。
【請求項４】
端末装置により送信された所定フォーマットのファイルに含まれる印刷コマンドを解読する解読手段と、前記解読手段により解読された印刷コマンドが示す印刷条件に従って、前記ファイルに含まれる画像データを記録紙に印刷する印刷手段とを備える印刷装置に対して所定の通信回線を介して接続され、原稿読取装置から受信されたファイルを、ユーザからの操作指令を基に、前記印刷装置に送信する端末装置と、所定の通信回線を介して接続された原稿読取装置であって、
原稿を読み取り、原稿の画像データを取得する画像データ取得手段と、
ユーザからの操作指令に従って、前記画像データを前記印刷装置に印刷させる際の印刷条件を設定する印刷条件設定手段と、
前記印刷条件設定手段により設定された印刷条件を、前記印刷装置が解読可能な印刷コマンドに変換する印刷コマンド変換手段と、
前記画像データ取得手段により取得された画像データと前記印刷コマンド変換手段により変換された印刷コマンドとを含むファイルを生成するファイル生成手段と、
前記ファイル生成手段により生成されたファイルを前記端末装置に送信するファイル送信手段とを備えることを特徴とする原稿読取装置。
【発明の詳細な説明】
【技術分野】
【０００１】
本発明は、原稿読取装置、端末装置、及び印刷装置を備える印刷システム、並びに原稿読取装置に関するものである。
【背景技術】
【０００２】
近年、スキャナが原稿の画像データを読み取り、読み取った画像データからＰＤＦ（portable document format）ファイルを生成し、生成したＰＤＦファイルをパソコンに送信する。そして、パソコンがスキャナから送信されたＰＤＦファイルを、プリンタドライバを用いてプリンタ制御言語に変換することなく、ＦＴＰ等のファイル転送プロトコルを用いてプリンタにそのまま送信し、プリンタにＰＤＦファイルを印刷させるというＰＤＦダイレクト印刷を行う印刷システムが知られている。
【０００３】
また、本出願に関連する技術として、特許文献１には、１つの文書を構成する表現１に対しては印刷不能ＰＤＦ（表示は可能だが、印刷は不能）を設定し、別の表現２に対してはＰＤＦ（表示、印刷、コメント付与は可能だが、本文修正は不能）等を設定すると共に、各ユーザに対して表現毎にアクセス権を付与し、あるユーザには表現１の印刷を許可し、別のユーザには表現１の印刷を禁止するというような文書管理を行う文書管理装置が開示されている。
【特許文献１】特開平１１−２７８６２１号公報
【発明の開示】
【発明が解決しようとする課題】
【０００４】
しかしながら、従来のＰＤＦダイレクト印刷を行う印刷システムでは、スキャナから送信されたＰＤＦファイルをデフォルト以外の印刷条件で印刷する機能が存在していなかった。また、スキャナにおいて、デフォルト以外の印刷条件をＰＤＦファイルに対して設定したとしても、プリンタにおいて、その印刷条件を解読し得る機能が存在していなかった。
【０００５】
そのため、ユーザは、デフォルトの設定値とは異なる印刷条件によりＰＤＦファイルを印刷させるためには、パソコン上でプリンタドライバを起動させ、種々の印刷項目に対する設定作業をプリンタドライバに対して行わなければならず、煩わしいという問題があった。また、特許文献１の技術は、文書管理方法に関するものであり、ＰＤＦファイルをどのように印刷するかを示す技術ではない。
【０００６】
本発明の目的は、パソコン上でプリンタドライバを起動させて設定作業を行わなくとも、好みの印刷条件により所定フォーマットのファイルの画像データをプリンタに印刷させることができる印刷システム及び原稿読取装置を提供することである。
【課題を解決するための手段】
【０００７】
本発明による印刷システムは、原稿読取装置と、前記原稿装置に対して所定の通信回線を介して接続された端末装置と、前記端末装置に対して所定の通信回線を介して接続された印刷装置とを備える印刷システムであって、前記原稿読取装置は、原稿を読み取り、原稿の画像データを取得する画像データ取得手段と、ユーザからの操作指令に従って、前記画像データを前記印刷装置に印刷させる際の印刷条件を設定する印刷条件設定手段と、前記印刷条件設定手段により設定された印刷条件を、前記印刷装置が解読可能な印刷コマンドに変換する印刷コマンド変換手段と、前記画像データ取得手段により取得された画像データと前記印刷コマンド変換手段により変換された印刷コマンドとを含む所定フォーマットのファイルを生成するファイル生成手段と、前記ファイル生成手段により生成されたファイルを前記端末装置に送信するファイル送信手段とを備え、前記端末装置は、前記原稿読取装置から送信されたファイルを、ユーザからの操作指令を基に、前記印刷装置に送信し、前記印刷装置は、前記端末装置により送信されたファイルに含まれる印刷コマンドを解読する解読手段と、前記解読手段により解読された印刷コマンドが示す印刷条件に従って、前記ファイルに含まれる画像データを記録紙に印刷する印刷手段とを備えることを特徴とする。
【０００８】
また、本発明による原稿読取装置は、端末装置により送信されたファイルに含まれる印刷コマンドを解読する解読手段と、前記解読手段により解読された印刷コマンドが示す印刷条件に従って、前記ファイルに含まれる画像データを記録紙に印刷する印刷手段とを備える印刷装置に対して所定の通信回線を介して接続され、原稿読取装置から受信されたファイルを、ユーザからの操作指令を基に、前記印刷装置に送信する端末装置と、所定の通信回線を介して接続された原稿読取装置であって、原稿を読み取り、原稿の画像データを取得する画像データ取得手段と、ユーザからの操作指令に従って、前記画像データを前記印刷装置に印刷させる際の印刷条件を設定する印刷条件設定手段と、前記印刷条件設定手段により設定された印刷条件を、前記印刷装置が解読可能な印刷コマンドに変換する印刷コマンド変換手段と、前記画像データ取得手段により取得された画像データと前記印刷コマンド変換手段により変換された印刷コマンドとを含むファイルを生成するファイル生成手段と、前記ファイル生成手段により生成されたファイルを前記端末装置に送信するファイル送信手段とを備えることを特徴とする。
【０００９】
これらの構成によれば、原稿読取装置は、光電変換素子等により原稿を読み取り、原稿の画像データを取得し、この画像データを印刷装置に印刷させる際の印刷条件をユーザからの操作指令に従って設定する。また、原稿読取装置は、設定した印刷条件を印刷装置が解読可能な印刷コマンドに変換し、原稿の画像データと印刷コマンドとを含むファイルを生成し、端末装置に送信する。
【００１０】
一方、端末装置は、原稿読取装置から送信されたファイルをユーザからの操作指令に従って、印刷装置に送信する。そして、印刷装置は、端末装置から送信されたファイルに含まれる印刷コマンドを解読し、印刷コマンドが示す印刷条件に従って、受信したファイルを記録紙に印刷する。
【００１１】
すなわち、原稿読取装置によりユーザからの操作指令に従って設定された印刷条件が印刷コマンドに変換され、この印刷コマンドを含むファイルが生成されて端末装置に送信されているため、ユーザは端末装置上でドライバを起動させて種々の印刷条件を設定する作業を行うことなく、単にファイルを印刷装置に送信するという簡便な作業を行うだけで、原稿読取装置で設定した印刷条件でファイルを記録紙に印刷させることができる。
【００１２】
また、上記構成において、前記印刷条件は、印刷部数、及び両面・片面印刷の少なくともいずれか１つ印刷項目とこれらの印刷項目に対する設定値とを含むことが好ましい。
【００１３】
この構成によれば、ユーザは、端末装置において、プリンタドライバを起動させ、印刷部数、両面又は片面印刷等の印刷項目の設定値を変更する設定作業を行わなくとも、スキャナで設定した印刷条件でファイルを印刷させることができる。
【００１４】
また、上記構成において、前記所定フォーマットのファイルはＰＤＦファイルであることが好ましい。
【００１５】
この構成によれば、パソコンからそのままＰＤＦファイルを印刷装置に送信するだけで、原稿読取装置で設定した印刷条件でＰＤＦファイルを印刷させることができる。
【発明の効果】
【００１６】
本発明によれば、ユーザは端末装置上でドライバを起動させて種々の印刷条件を設定する作業を行うことなく、単にファイルを印刷装置に送信するという簡便な作業を行うだけで、スキャナで設定した印刷条件でファイルを記録紙に印刷させることができる。
【発明を実施するための最良の形態】
【００１７】
以下、本発明による印刷システムの実施の形態について説明する。図１は、本印刷システムの全体構成図を示している。本印刷システムは、原稿読取装置１、端末装置２、及び印刷装置３を備えている。原稿読取装置１、端末装置２、及び印刷装置３は、ＬＡＮ（Local Area Network）により接続され、ＴＣＰ／ＩＰ（Transmission control protocol/inter net protocol）等の通信プロトコルに従って、種々のデータが相互に送受信可能に接続されている。なお、ＬＡＮは、一例にすぎず、端末装置２と原稿読取装置１とをＲＳ−２３２Ｃ等の通信ケーブルで接続し、端末装置２と印刷装置３とをＬＡＮにより接続してもよい。また、端末装置２と印刷装置３とをＲＳ−２３２Ｃ等の通信ケーブルで接続し、端末装置２と原稿読取装置１とをＬＡＮで接続してもよい。更に、原稿読取装置１、端末装置２、及び印刷装置３をインターネット網、又は専用線網を介して接続してもよい。
【００１８】
原稿読取装置１は、通信機能を備えるネットワークスキャナから構成され、光電変換素子により原稿を読み取り得られた画像データからＰＤＦファイルを生成し、端末装置２に送信する。なお、原稿読取装置１としては、ネットワークスキャナに限定されず、ネットワークファクシミリ装置や、スキャナ機能、印刷機能、及び通信機能を備えるデジタル複合機を採用してもよい。また、図１において、原稿読取装置１は１台しか示していないが、２台以上の原稿読取装置１を採用してもよい。
【００１９】
端末装置２は、通信機能を備えるパーソナルコンピュータから構成され、原稿読取装置１から送信されたＰＤＦファイルを、ユーザからの操作指令に従って、印刷装置３に送信する。なお、図１において、端末装置２は２台しか示していないが、１台の端末装置２を採用してもよいし、３台以上の端末装置２を採用してもよい。
【００２０】
印刷装置３は、通信機能を備えるネットワークプリンタから構成され、端末装置２から送信されたＰＤＦファイルを記録紙に印刷する。なお、図１において、印刷装置３は、１台しか示していないが、２台以上の印刷装置３を採用してもよい。また、印刷装置３として、デジタル複合機を採用してもよい。更に、原稿読取装置１と印刷装置３とを同一の装置で構成してもよい。
【００２１】
図２は、原稿読取装置１のブロック図を示している。原稿読取装置１は、スキャナ部１１、制御部１２、操作部１３、記憶部１４、及び通信部１５を備えている。スキャナ部１１は、ＣＣＤ、ＣＩＳ等の光電変換素子がライン状に配列された光ラインセンサから構成され、原稿を１ラインずつスキャンして、原稿の画像データを取得する。
【００２２】
制御部１２は、ＣＰＵ（中央演算処理装置）、ＲＯＭ（リードオンリーメモリ）、ＲＡＭ（ランダムアクセスメモリ）等を備え、原稿読み取り装置全体の動作を制御する。本実施の形態では、特に、印刷コマンド変換部１２１、画像処理部１２２、ＰＤＦファイル生成部１２３、送信制御部１２４、及び印刷条件設定部１２５の機能を備えている。これらの機能は、ＣＰＵがＲＯＭに記憶された制御プログラムを実行することで実現される。
【００２３】
印刷条件設定部１２５は、操作部１３により受け付けられたユーザからの操作指令に従って、画像データの印刷条件を設定する。ここで、印刷条件は、印刷部数、両面又は片面印刷、印刷倍率、印刷濃度、記録紙サイズ等の印刷項目と、各印刷項目に対する設定値とによって規定される。なお、ユーザは、全ての印刷項目に対する設定値を設定する必要はなく、一部の印刷項目の設定を省略してもよい。設定が省略された印刷項目はデフォルトの設定値が設定される。
【００２４】
また、デフォルトの設定値として、印刷部数は例えば１部が採用され、両面又は片面印刷は例えば片面印刷が採用され、印刷倍率は例えば１００％が採用され、印刷濃度は例えば５０％が採用され、記録紙サイズは例えばＡ４が採用される。
【００２５】
印刷コマンド変換部１２１は、印刷条件設定部１２５により設定された印刷条件を印刷装置３が解読可能な印刷コマンドに変換する。
【００２６】
画像処理部１２２は、スキャナ部１１により取得された画像データに対して、シェーディング補正、圧縮処理等の所定の画像処理を施し、画像データ記憶部１４１に記憶させる。
【００２７】
ＰＤＦファイル生成部１２３は、操作部１３により指定された画像データを画像データ記憶部１４１から読み出し、当該画像データに対する印刷コマンドと当該画像データとからＰＤＦファイルを生成する。
【００２８】
送信制御部１２４は、操作部１３を操作することでユーザにより指定されたＰＤＦファイルの送信先の端末装置２の通信アドレスを通信アドレス記憶部１４２から読み出し、ＰＤＦファイル生成部１２３により生成されたＰＤＦファイルが、読み出した通信アドレスに送信されるように通信部１５を制御する。
【００２９】
操作部１３は、タッチパネル等から構成され、ユーザからの種々の操作指令を受け付ける。本実施の形態では、特に、印刷条件を設定するための操作指令、ＰＤＦファイルの送信先を指定するための操作指令、スキャナ部１１により原稿の読み取り動作を開始させるための操作指令を受け付ける。
【００３０】
記憶部１４は、ＥＥＰＲＯＭ（Electronically Erasable and Programmable Read Only Memory）等の不揮発性の記憶装置、或いはハードディスク等の外部記憶装置から構成され、画像データ記憶部１４１及び通信アドレス記憶部１４２を備える。画像データ記憶部１４１は、画像処理部１２２より圧縮された画像データを記憶する。通信アドレス記憶部１４２は、ＬＡＮ上に接続された端末装置２の通信アドレスと、端末装置２を識別するための識別情報とを対応付けて記憶すると共に、自己の通信アドレスと自己の装置名称とを対応付けて記憶する。ここで、通信アドレスとしては、装置固有に付与されたＩＰアドレスを採用することができる。また、識別情報として、装置固有に付与された装置名称を採用することができる。
【００３１】
通信部１５は、ＬＡＮ上に接続された端末装置２等と通信するための、ＬＡＮボード等の通信装置から構成され、送信制御部１２４により生成されたＰＤＦファイルをＬＡＮケーブルを介して端末装置２に送信する。
【００３２】
図３は、端末装置２のブロック図を示している。端末装置２は、通常のコンピュータ等から構成され、入力装置２１、ＲＯＭ（リードオンリーメモリ）２２、ＣＰＵ（中央演算処理装置）２３、ＲＡＭ（ランダムアクセスメモリ）２４、外部記憶装置２５、表示装置２６、及び記録媒体駆動装置２７、及び通信装置２９を備える。各ブロックは内部のバスに接続され、このバスを介して種々のデータ等が入出され、ＣＰＵ２３の制御の下、種々の処理が実行される。
【００３３】
入力装置２１は、キーボード、マウス等から構成され、原稿読取装置１から送信されたＰＤＦファイルを外部記憶装置２５に記憶するためのユーザからの操作指令、外部記憶装置２５に記憶されたＰＤＦファイルのうち、いずれかのＰＤＦファイルを指定して、印刷装置３に送信するためのユーザからの操作指令を受け付ける。
【００３４】
ＲＯＭ２２には、ＢＩＯＳ（Basic Input/Output System）等のシステムプログラムが記憶される。外部記憶装置２５は、ハードディスクドライブ等から構成され、所定のＯＳ（Operating System）を記憶している。また、外部記憶装置２５は、原稿読取装置１から送信されたＰＤＦファイルを受信する手段、受信したＰＤＦファイルを外部記憶装置２５に記憶させる手段、ユーザからの操作指令に従って、ＰＤＦファイルの送信先となる印刷装置３を指定する手段、ユーザからの操作指令によって指定されたＰＤＦファイルをＦＴＰ（file transfer protocol)等のファイル転送プロトコルに従って、指定した印刷装置３に送信させる手段としてコンピュータを機能させるためのファイル転送プログラムを記憶している。
【００３５】
更に、外部記憶装置２５は、ＬＡＮ上に接続された原稿読取装置１、他の端末装置２、及び印刷装置３の通信アドレスと、これらの装置を識別するための識別情報とを対応付けて記憶すると共に、自己の通信アドレスと自己の装置名称とを対応づけて記憶している。なお、通信アドレスとしては、装置固有に付与されたＩＰアドレスを採用することができる。また、識別情報として、装置固有に付与された装置名称を採用することができる。
【００３６】
このファイル転送プログラムは、ＣＤ−ＲＯＭ等のコンピュータ読み取り可能な記録媒体２８に格納されて市場に流通される。ユーザはこの記録媒体２８を記録媒体駆動装置２７に読み込ませることで、ファイル転送プログラムを端末装置２にインストールする。また、このファイル転送プログラムをインターネット上のサーバに格納し、このサーバからダウンロードすることで、ファイル転送プログラムを端末装置２にインストールしてもよい。
【００３７】
ＣＰＵ２３は、外部記憶装置２５からファイル転送プログラムを読み出して実行することで、上述した手段として端末装置２を機能させる。ＲＡＭ２４は、ＣＰＵ２３の作業領域等として用いられる。
【００３８】
表示装置２６は、液晶表示装置等から構成され、ＣＰＵ２３の制御の下に種々の画像を表示する。記録媒体駆動装置２７は、ＣＤ−ＲＯＭドライブ、フレキシブルディスクドライブ等から構成される。
【００３９】
通信装置２９は、ＬＡＮ上に接続された原稿読取装置１、他の端末装置２、及び印刷装置３と通信するためのＬＡＮボード等の通信装置から構成され、ＣＰＵ２３の制御の下、原稿読取装置１から送信されたＰＤＦファイルを受信すると共に、受信したＰＤＦファイルをユーザにより指定された印刷装置３に送信する。
【００４０】
図４は、印刷装置３のブロック図を示している。印刷装置３は、通信部３１、制御部３２、記憶部３３、印刷部３４、搬送部３５、及び操作部３６を備えている。通信部３１は、ＬＡＮ上に接続された端末装置２と通信するためのＬＡＮボード等の通信装置から構成され、端末装置２から送信されたＰＤＦファイルを受信する。
【００４１】
制御部３２は、ＣＰＵ、ＲＯＭ、及びＲＡＭ等から構成され、印刷装置３全体を制御する。本実施の形態では、特に、解読部３２１、搬送制御部３２２、及び印刷制御部３２３の機能を備えている。これらの機能は、ＣＰＵがＲＯＭに記憶された制御プログラムを実行することで実現される。
【００４２】
解読部３２１は、通信部３１により受信されたＰＤＦファイルに含まれる印刷コマンドを解読し、ＰＤＦファイルに対して設定された印刷条件を特定する。
【００４３】
搬送制御部３２２は、搬送部３５を制御することにより、給紙カセットに収納された記録紙束から１枚の記録紙をピックアップし、印刷部３４へと搬送し、印刷部３４により画像形成がされた記録紙を排紙トレイへと搬送する。
【００４４】
印刷制御部３２３は、印刷部３４を制御することにより、搬送部３５によって印刷部３４に搬送された記録紙に対して、解読部３２１により抽出されたＰＤＦファイルに含まれる画像データを、解読部３２１により特定された印刷条件に従って印刷させる。
【００４５】
記憶部３３は、ハードディスクドライブ等の外部記憶装置から構成され、ＰＤＦファイル記憶部３３１を備えている。ＰＤＦファイル記憶部３３１は、解読部３２１により抽出されたＰＤＦファイルを記憶する。
【００４６】
印刷部３４は、感光体ドラム、露光装置、現像装置、転写ローラ、及び定着装置等を備える。感光体ドラムは、アモルファスシリコン等の部材から構成された円筒状のローラである。露光装置は、画像データに応じた光信号で感光体ドラムを露光して静電潜像を形成する。現像装置は、露光された感光体ドラムにトナーを供給してトナー像を形成する。転写ローラは、感光体ドラムに形成されたトナー像を記録紙に転写する。現像装置は、記録紙を加熱して、トナー像を記録紙に定着させる。
【００４７】
搬送部３５は、給紙カセットに収納された記録紙束から１枚の記録紙をピックアップするピックアップローラ、ピックアップされた記録紙を印刷部３４へと搬送するローラ、印刷部３４により印刷された記録紙を排紙トレイへと搬送するローラ、及びこれらのローラを駆動させるモータ等から構成されている。操作部３６は、タッチパネル等から構成され、ユーザからの種々の操作指令を受け付ける。
【００４８】
次に、図５に示すフローチャートに従って、本印刷システムの動作について説明する。まず、ステップＳ１において、操作部１３がユーザからの原稿を読み取らせるための操作指令を受け付けた場合（Ｓ１でＹＥＳ）、スキャナ部１１は原稿載置台（図略）に載置された原稿をスキャンして原稿の画像データを取得する（Ｓ２）。一方、ステップＳ１において、操作部１３がユーザからの原稿を読み取らせるための操作指令を受け付けなかった場合（Ｓ１でＮＯ）、処理がステップＳ１に戻される。
【００４９】
ステップＳ３において、画像処理部１２２は、スキャナ部１１によりスキャンされた画像データに対してシェーディング補正、及び圧縮処理等を施し、画像データ記憶部１４１に記憶させる（Ｓ４）。
【００５０】
ステップＳ５において、操作部１３は、印刷対象となる画像データを指定する操作指令を受け付けると共に、指定された画像データに対する印刷条件を設定するための操作指令を受け付けた場合（Ｓ５でＹＥＳ）、印刷条件設定部１２５は、操作部１３により受け付けられた操作指令に従って、各印刷項目の設定値を設定し、ユーザにより指定された画像データに対する印刷条件として、処理をステップＳ６に進め、上記操作指令を受け付けなかった場合（Ｓ５でＮＯ）、処理をステップＳ５に戻す。
【００５１】
ここで、画像データは、固有のファイル名が付与され、このファイル名と対応付けて画像データ記憶部１４１に記憶されている。ユーザは操作部１３を操作して、画像データ記憶部１４１が記憶している画像データのファイル名を操作部１３に一覧表示させ、一覧表示されたファイル名の中からいずれかのファイル名を指定することで印刷対象となる画像データを指定する。
【００５２】
また、ユーザは、印刷条件を設定するための操作画面を操作部１３に表示させ、この操作画面を操作して印刷部数＝３部、両面又は片面印刷＝両面、印刷濃度＝６５％、印刷倍率＝１３０％というような各印刷項目に対する設定値を設定する。ここで、印刷条件設定部１２５は、ユーザにより設定値が入力されなかった印刷項目に対しては、デフォルトの設定値を設定する。例えば、ユーザが印刷部数に対して設定値を入力しなかった場合、印刷条件設定部１２５は、印刷部数に対するデフォルトの設定値である１部を印刷部数の設定値として設定する。このようにして、印刷条件設定部１２５は、全印刷項目に対する設定値を設定する。
【００５３】
ステップＳ６において、印刷コマンド変換部１２１は、ステップＳ５で設定された印刷条件を印刷装置３が解読可能な記号列からなる印刷コマンドに変換する。ステップＳ７において、ＰＤＦファイル生成部１２３は、ステップＳ６で変換された印刷コマンドとステップＳ５で指定された画像データとからＰＤＦファイルを作成する。
【００５４】
ステップＳ８において、操作部１３がＰＤＦファイルの送信先となる端末装置２を指定するためのユーザからの操作指令を受け付けた場合（Ｓ８でＹＥＳ）、送信制御部１２４は、指定された端末装置２の通信アドレスを通信アドレス記憶部１４２から読み出し、読み出した通信アドレスに作成されたＰＤＦファイルが送信されるように通信部１５を制御する。
【００５５】
一方、ステップＳ８において、操作部１３が送信先となる端末装置２を指定するための操作指令を受け付けなかった場合（Ｓ８でＮＯ）、処理がステップＳ８に戻される。ステップＳ９において、通信部１５はＰＤＦファイルを端末装置２に送信する。
【００５６】
ステップＳ２１において、ＰＤＦファイルの送信先として指定された端末装置２の通信装置２９は、原稿読取装置１から送信されたＰＤＦファイルを受信する。ステップＳ２２において、通信装置２９は、受信したＰＤＦファイルを外部記憶装置２５に記憶させる。
【００５７】
ステップＳ２３において、入力装置２１がＰＤＦファイルの送信先となる印刷装置３を指定するための操作指令を受け付けると共に、印刷対象となるＰＤＦファイルを指定するための操作指令を受け付けた場合（Ｓ２３でＹＥＳ）、ＣＰＵ２３は、外部記憶装置２５から指定された印刷装置３の通信アドレスを読み出すと共に、指定されたＰＤＦファイルを外部記憶装置２５から読み出す。ステップＳ２４において、通信装置２９はＣＰＵ２３により読み出された通信アドレスに、ＰＤＦファイルを送信する。
【００５８】
ステップＳ３１において、送信先となる印刷装置３の通信部３１は、端末装置２から送信されたＰＤＦファイルを受信する（Ｓ３１）。ステップＳ３２において、解読部３２１は、ＰＤＦファイルを受信したか否かを判定し、ＰＤＦファイルを受信したと判定した場合（Ｓ３２でＹＥＳ）、処理をステップＳ３３に進め、ＰＤＦファイルを受信していないと判定した場合（Ｓ３２でＮＯ）、処理を終了する。
【００５９】
ステップＳ３３において、解読部３２１はＰＤＦファイルに含まれる印刷コマンドを解読し、当該ＰＤＦファイルに対する印刷条件を特定した後、印刷開始指令を搬送制御部３２２と印刷制御部３２３とに出力する。ここで、印刷コマンドに解読不可能な印刷コマンドがあった場合、解読部３２１は、その印刷コマンドに対応する印刷項目に対してデフォルトの設定値を設定する。
【００６０】
ステップＳ３４において、解読部３２１から印刷開始指令を受信した搬送制御部３２２は、搬送部３５を制御して、記録紙を印刷部３４へと搬送し、印刷制御部３２３は、印刷部３４を制御して、印刷部３４に搬送された記録紙にＰＤＦファイルに含まれる画像データを印刷させる。
【００６１】
以上説明したように、本印刷システムによれば、原稿読取装置１によりユーザからの操作指令に従って設定された印刷条件が印刷コマンドに変換され、この印刷コマンドを含むＰＤＦファイルが生成されて端末装置２に送信されているため、ユーザは端末装置２上でドライバを起動させて種々の印刷条件を設定する作業を行うことなく、単にＰＤＦファイルを印刷装置３に送信するという簡便な作業を行うだけで、原稿読取装置１で設定した印刷条件でＰＤＦファイルを記録紙に印刷させることができる。
【図面の簡単な説明】
【００６２】
【図１】本印刷システムの全体構成図を示している。
【図２】原稿読取装置のブロック図を示している。
【図３】端末装置のブロック図を示している。
【図４】印刷装置のブロック図を示している。
【図５】本印刷システムの動作を示すフローチャートである。
【符号の説明】
【００６３】
１  原稿読取装置
１１  スキャナ部
１２  制御部
１２１  印刷コマンド変換部
１２２  画像処理部
１２３  ＰＤＦファイル生成部
１２４  送信制御部
１２５  印刷条件設定部
１３  操作部
１４  記憶部
１４１  画像データ記憶部
１４２  通信アドレス記憶部
１５  通信部
２  端末装置
２１  入力装置
２５  外部記憶装置
２６  表示装置
２７  記録媒体駆動装置
２８  記録媒体
２９  通信装置
３  印刷装置
３１  通信部
３２  制御部
３２１  解読部
３２２  搬送制御部
３２３  印刷制御部
３３  記憶部
３３１  ＰＤＦファイル記憶部
３４  印刷部
３５  搬送部
３６  操作部
【図１】
2007195086.tif 000003
【図２】
2007195086.tif 000004
【図３】
2007195086.tif 000005
【図４】
2007195086.tif 000006
【図５】
2007195086.tif 000007